(57)【要約】【課題】シリーズ番組の全てのエピソードを録画することができるようにする。【解決手段】本技術の第１の側面の制御装置は、録画装置において録画された番組の情報を取得する取得部と、前記録画装置において録画されたシリーズ番組に未録画のエピソードがある場合、前記未録画のエピソードを録画するように前記録画装置における録画を制御する制御部とを備える。【選択図】図５
2012249176.tif 000002
【特許請求の範囲】
【請求項１】
録画装置において録画された番組の情報を取得する取得部と、
前記録画装置において録画されたシリーズ番組に未録画のエピソードがある場合、前記未録画のエピソードを録画するように前記録画装置における録画を制御する制御部と
を備える制御装置。
【請求項２】
前記制御部は、前記未録画のエピソードの放送予定があるか否かをEPGデータに基づいて判定し、放送予定があると判定した場合、前記未録画のエピソードの放送日時を含む情報を前記録画装置に送信し、前記未録画のエピソードの録画予約を前記録画装置に設定させる
請求項１に記載の制御装置。
【請求項３】
前記制御部は、前記未録画のエピソードの放送予定がないと判定した場合、前記未録画のエピソードの放送の要求を前記シリーズ番組の放送を管理する放送管理装置に送信する
請求項２に記載の制御装置。
【請求項４】
前記制御部は、EPGデータに基づいて、前記シリーズ番組の録画完了予定日を特定し、前記録画完了予定日の情報を前記録画装置に送信する
請求項１に記載の制御装置。
【請求項５】
EPGデータに番組情報が含まれる放送予定の番組の中から、所定のシリーズ番組の最初のエピソードを検索する検索部をさらに備え、
前記制御部は、前記所定のシリーズ番組の最初のエピソードの放送日時を含む情報を前記録画装置に送信し、前記最初のエピソードを録画させる
請求項１に記載の制御装置。
【請求項６】
前記取得部は、前記録画装置において削除された番組の情報を取得し、
前記制御部は、前記未録画のエピソードのうち、前記録画装置において削除されたエピソードを除く前記未録画のエピソードを録画するように前記録画装置における録画を制御する
請求項１に記載の制御装置。
【請求項７】
録画装置において録画された番組の情報を取得し、
前記録画装置において録画されたシリーズ番組に未録画のエピソードがある場合、前記未録画のエピソードを録画するように前記録画装置における録画を制御する
ステップを含む制御方法。
【請求項８】
録画装置において録画された番組の情報を取得し、
前記録画装置において録画されたシリーズ番組に未録画のエピソードがある場合、前記未録画のエピソードを録画するように前記録画装置における録画を制御する
ステップを含む処理をコンピュータに実行させるプログラム。
【請求項９】
録画済みの番組の情報を制御装置に送信する送信部と、
録画を行っているシリーズ番組に未録画のエピソードがある場合に前記制御装置により行われる制御に従って、前記未録画のエピソードを録画する録画制御部と
を備える録画装置。
【請求項１０】
前記録画制御部は、前記制御装置から送信されてくる前記未録画のエピソードの放送日時を含む情報に基づいて、前記未録画のエピソードの録画予約を設定する
請求項９に記載の録画装置。
【請求項１１】
前記制御装置から送信されてくる情報に基づいて、前記シリーズ番組の録画完了予定日を表示する表示制御部をさらに備える
請求項９に記載の録画装置。
【請求項１２】
前記録画制御部は、前記制御装置から送信されてくる、所定のシリーズ番組の最初のエピソードの放送日時を含む情報に基づいて、前記最初のエピソードを録画し、
前記最初のエピソードの録画が行われた場合、前記最初のエピソード以降のエピソードの録画を案内する情報を表示する表示制御部をさらに備える
請求項９に記載の録画装置。
【請求項１３】
前記未録画のエピソードの情報を、録画済みのエピソードの情報と異なる形式で、前記録画済みのエピソードの情報とともに表示する表示制御部をさらに備える
請求項９に記載の録画装置。
【請求項１４】
録画済みの番組を記録媒体に記録させる記録制御部と、
前記記録媒体に記録させる番組として前記シリーズ番組が選択された場合、前記シリーズ番組の記録が行われる前に、前記未録画のエピソードがあることを表す情報を表示する表示制御部と
をさらに備える請求項９に記載の録画装置。
【請求項１５】
前記送信部は、削除した番組の情報を前記制御装置に送信し、
前記録画制御部は、前記制御装置により行われる制御に従って、前記未録画のエピソードのうち、削除したエピソードを除く前記未録画のエピソードを録画する
請求項９に記載の録画装置。
【請求項１６】
前記送信部は、前記未録画のエピソードを受信するために所定のサービスに加入している必要がある場合、前記制御装置から送信されてくる前記未録画のエピソードの放送日を含む情報に基づいて、前記サービスに前記放送日から加入することの要求を送信する
請求項９に記載の録画装置。
【請求項１７】
録画済みの番組の情報を制御装置に送信し、
録画を行っているシリーズ番組に未録画のエピソードがある場合に前記制御装置により行われる制御に従って、前記未録画のエピソードを録画する
ステップを含む録画方法。
【請求項１８】
録画済みの番組の情報を制御装置に送信し、
録画を行っているシリーズ番組に未録画のエピソードがある場合に前記制御装置により行われる制御に従って、前記未録画のエピソードを録画する
ステップを含む処理をコンピュータに実行させるプログラム。
【発明の詳細な説明】
【技術分野】
【０００１】
本技術は、特に、シリーズ番組の全てのエピソードを録画することができるようにした制御装置、制御方法、録画装置、録画方法、およびプログラムに関する。
【背景技術】
【０００２】
BD(Blu-ray Disc（商標）)レコーダなどの録画装置の高機能化が進んでいる。
【０００３】
毎週の決まった時間に放送される連続ドラマなどのシリーズ番組であっても、第１話の放送にあわせて録画予約を設定し、シリーズ単位で録画することを指定しておけば、ユーザは、一話毎に録画予約を設定することなく全話の録画を行わせることができる。最終話の放送が終了した後、録画済みの全話をまとめて１枚のBDに記録してライブラリ化しておくことなども行われている。
【０００４】
このように、番組（テレビジョン番組）をシリーズ単位で残しておき、第１話から最終話まで順に視聴したいという要求が存在する。
【先行技術文献】
【特許文献】
【０００５】
【特許文献１】特開２０１０−０５６８６２号公報
【特許文献２】特開２００７−２３５７９９号公報
【特許文献３】特表２００９−５２２８５５号公報
【発明の概要】
【発明が解決しようとする課題】
【０００６】
ところで、シリーズ番組の録画を始めようと思ったときに既に第１話の放送が終わっていたり、上述したようにして録画予約を設定していたものの放送時間の変更があったりして、シリーズ番組の全話を録画できないことがある。
【０００７】
特に連続ドラマの場合、シリーズ番組を途中から見始めてしまうと、製作者の意図した順序で視聴者に情報がインプットされず、ある話において視聴者にとってまったく知らない人物が既知のものとして登場したりする。このことは、視聴者を興ざめさせてしまうことにもなる。
【０００８】
また、第２話を見逃してまった場合などのように視聴間隔が空いてしまうと、それまでのストーリーを忘れてしまい、純粋に視聴を楽しめないといったこともある。
【０００９】
本技術はこのような状況に鑑みてなされたものであり、シリーズ番組の全てのエピソードを録画することができるようにするものである。
【課題を解決するための手段】
【００１０】
本技術の第１の側面の制御装置は、録画装置において録画された番組の情報を取得する取得部と、前記録画装置において録画されたシリーズ番組に未録画のエピソードがある場合、前記未録画のエピソードを録画するように前記録画装置における録画を制御する制御部とを備える。
【００１１】
前記制御部には、前記未録画のエピソードの放送予定があるか否かをEPGデータに基づいて判定させ、放送予定があると判定した場合、前記未録画のエピソードの放送日時を含む情報を前記録画装置に送信させ、前記未録画のエピソードの録画予約を前記録画装置に設定させることができる。
【００１２】
前記制御部には、前記未録画のエピソードの放送予定がないと判定した場合、前記未録画のエピソードの放送の要求を前記シリーズ番組の放送を管理する放送管理装置に送信させることができる。
【００１３】
前記制御部には、EPGデータに基づいて、前記シリーズ番組の録画完了予定日を特定させ、前記録画完了予定日の情報を前記録画装置に送信させることができる。
【００１４】
EPGデータに番組情報が含まれる放送予定の番組の中から、所定のシリーズ番組の最初のエピソードを検索する検索部をさらに設けることができる。この場合、前記制御部には、前記所定のシリーズ番組の最初のエピソードの放送日時を含む情報を前記録画装置に送信し、前記最初のエピソードを録画させることができる。
【００１５】
前記取得部には、前記録画装置において削除された番組の情報を取得させ、前記制御部には、前記未録画のエピソードのうち、前記録画装置において削除されたエピソードを除く前記未録画のエピソードを録画するように前記録画装置における録画を制御させることができる。
【００１６】
本技術の第２の側面の録画装置は、録画済みの番組の情報を制御装置に送信する送信部と、録画済みのシリーズ番組に未録画のエピソードがある場合に前記制御装置により行われる制御に従って、前記未録画のエピソードを録画する録画制御部とを備える。
【００１７】
前記録画制御部には、前記制御装置から送信されてくる前記未録画のエピソードの放送日時を含む情報に基づいて、前記未録画のエピソードの録画予約を設定させることができる。
【００１８】
前記制御装置から送信されてくる情報に基づいて、前記シリーズ番組の録画完了予定日を表示する表示制御部をさらに設けることができる。
【００１９】
前記録画制御部には、前記制御装置から送信されてくる、所定のシリーズ番組の最初のエピソードの放送日時を含む情報に基づいて、前記最初のエピソードを録画させることができる。この場合、前記最初のエピソードの録画が行われた場合、前記最初のエピソード以降のエピソードの録画を案内する情報を表示する表示制御部をさらに設けることができる。
【００２０】
前記未録画のエピソードの情報を、録画済みのエピソードの情報と異なる形式で、前記録画済みのエピソードの情報とともに表示する表示制御部をさらに設けることができる。
【００２１】
録画済みの番組を記録媒体に記録させる記録制御部と、前記記録媒体に記録させる番組として前記シリーズ番組が選択された場合、前記シリーズ番組の記録が行われる前に、前記未録画のエピソードがあることを表す情報を表示する表示制御部とをさらに設けることができる。
【００２２】
前記送信部には、削除した番組の情報を前記制御装置に送信させ、前記録画制御部には、前記制御装置により行われる制御に従って、前記未録画のエピソードのうち、削除したエピソードを除く前記未録画のエピソードを録画させることができる。
【００２３】
前記送信部には、前記未録画のエピソードを受信するために所定のサービスに加入している必要がある場合、前記制御装置から送信されてくる前記未録画のエピソードの放送日を含む情報に基づいて、前記サービスに前記放送日から加入することの要求を送信させることができる。
【発明の効果】
【００２４】
本技術によれば、シリーズ番組の全てのエピソードを録画することができる。
【図面の簡単な説明】
【００２５】
【図１】本技術の一実施形態に係る録画制御システムの構成例を示す図である。
【図２】録画装置の構成例を示すブロック図である。
【図３】録画制御サーバのハードウェアの構成例を示すブロック図である。
【図４】録画制御サーバの機能構成例を示すブロック図である。
【図５】自動補填録画機能における処理の流れの例を示す図である。
【図６】自動補填録画機能の処理について説明するフローチャートである。
【図７】補填録画が行われる前の表示例を示す図である。
【図８】補填録画が行われた後の表示例を示す図である。
【図９】放送管理装置の処理について説明するフローチャートである。
【図１０】録画完了時期通知機能における処理の流れの例を示す図である。
【図１１】録画完了時期通知機能の処理について説明するフローチャートである。
【図１２】録画完了時期通知機能により表示される画面の例を示す図である。
【図１３】未録画エピソード通知機能における処理の流れの例を示す図である。
【図１４】未録画エピソード通知機能の処理について説明するフローチャートである。
【図１５】未録画エピソード通知機能により表示される画面の例を示す図である。
【図１６】ディスクコピー時の未録画エピソード通知機能における処理の流れの例を示す図である。
【図１７】ディスクコピー時の未録画エピソード通知機能の処理について説明するフローチャートである。
【図１８】ディスクコピー時の未録画エピソード通知機能により表示される画面の例を示す図である。
【図１９】シリーズ番組案内機能における処理の流れの例を示す図である。
【図２０】シリーズ番組案内機能の処理について説明するフローチャートである。
【図２１】シリーズ番組案内機能により表示される画面の例を示す図である。
【発明を実施するための形態】
【００２６】
以下、本技術を実施するための形態について説明する。説明は以下の順序で行う。
１．録画制御システムについて
２．自動補填録画機能について
３．録画完了時期通知機能について
４．未録画エピソード通知機能について
５．ディスクコピー時の未録画エピソード通知機能について
６．シリーズ番組案内機能について
７．変形例
【００２７】
＜録画制御システムについて＞
［録画制御システムの構成］
図１は、本技術の一実施形態に係る録画制御システムの構成例を示す図である。
【００２８】
図１の録画制御システムは、録画装置１、録画制御サーバ３、および放送管理装置４から構成される。録画装置１には、HDMI(High Definition Multimedia Interface)ケーブルなどを介してTV２が接続される。
【００２９】
録画装置１は、番組の視聴者であるユーザの自宅などに設置されるBDレコーダなどの録画装置である。録画装置１は、地上テレビジョン放送、BS(Broadcasting Satellite)/CS(Communications Satellite)を使った衛星テレビジョン放送、CATV(Cable Television)放送、インターネットを使ったテレビジョン放送などの各種の放送を受信し、録画する機能を有する。録画装置１は、放送中の番組、または録画済みの番組を再生し、番組の映像と音声をTV２から出力させる機能をも有する。
【００３０】
図１に示すように、録画装置１は、放送管理装置４が放送する番組を受信し、録画する。放送管理装置４の放送は例えば衛星テレビジョン放送である。放送管理装置４からは、番組の他に、EPG(Electronic Program Guide)データも放送されてくる。
【００３１】
録画装置１と録画制御サーバ３はインターネットなどのネットワークを介して接続される。録画装置１は、録画制御サーバ３による制御に従って番組の録画を行う。例えば録画装置１は、録画制御サーバ３による制御に従って、連続ドラマなどのシリーズ番組の録画を行う。
【００３２】
１つのシリーズ番組は、タイトルが同じ複数の番組から構成される。以下、シリーズ番組を構成する各番組をエピソードという。
【００３３】
録画装置１は、録画ログや視聴ログなどを管理しており、所定のタイミングで録画制御サーバ３に送信する。録画ログには、ユーザが録画装置１を操作して録画した録画済みの番組のタイトル、放送時間帯、チャンネル、IDなどが含まれる。視聴ログには、ユーザが録画装置１を操作して視聴した視聴済みの番組のタイトル、放送時間帯、チャンネル、IDなどが含まれる。
【００３４】
録画制御サーバ３は、録画装置１から送信されてきた録画ログや視聴ログに基づいて、録画装置１のユーザの嗜好を判断し、録画装置１のユーザの嗜好に応じたシリーズ番組を特定する。録画制御サーバ３においては、あるシリーズ番組の少なくとも１つのエピソードの録画が録画装置１において行われている場合に、そのシリーズ番組が、録画装置１のユーザの嗜好に応じたシリーズ番組であると特定されるものとする。
【００３５】
録画装置１において録画された番組がシリーズ番組のエピソードであることは、録画装置１から送信されてきた録画ログと、放送管理装置４から提供されたEPGデータに基づいて判断される。
【００３６】
録画制御サーバ３には、放送予定の番組の番組情報を含むEPGデータの他に、過去に放送された番組の番組情報を含むEPGデータも蓄積されている。EPGデータには、各番組の番組情報として、例えば、シリーズ番組であるか否かを表す情報、シリーズ番組である場合にはエピソード番号を表す情報、最初のエピソードであることを表す情報、最終のエピソードであることを表す情報が含まれる。
【００３７】
例えば、録画制御サーバ３は、EPGデータに番組情報が含まれる番組の中から、録画装置１において録画された番組を番組のタイトルやIDに基づいて検索する。また、録画制御サーバ３は、検索した番組の番組情報として、その番組がシリーズ番組であることを表す情報が含まれているか否かを判断する。シリーズ番組であることを表す情報が含まれている場合、録画制御サーバ３は、録画装置１において録画された番組がシリーズ番組の、あるエピソードであると判断することになる。
【００３８】
また、録画制御サーバ３は、シリーズ番組のあるエピソードの録画が録画装置１において行われたことを検出した場合、そのシリーズ番組の録画が完了しているか否か、すなわち、全てのエピソードが録画済みであるか否かを判断する。
【００３９】
EPGデータには、エピソード番号を表す情報、最初のエピソードであることを表す情報、最終のエピソードであることを表す情報が含まれているから、ある１つのシリーズ番組がいくつのエピソードから構成されるのかを特定することが可能である。
【００４０】
録画制御サーバ３は、シリーズ番組の録画が完了していないと判断した場合、すなわち未録画のエピソードがあると判断した場合、未録画のエピソードの次の放送日時をEPGデータに基づいて特定する。特に衛星テレビジョン放送の場合、同じシリーズ番組が繰り返し放送されることが多い。
【００４１】
未録画のエピソードは、過去に放送されたが、録画装置１には録画されていないエピソードである。放送の進行によっては、最初や最終のエピソードが未録画のエピソードになることもあるし、途中のエピソードが未録画のエピソードになることもある。
【００４２】
録画制御サーバ３は、未録画のエピソードの放送日時をEPGデータに基づいて特定した場合、特定した放送日時の情報を録画装置１に送信し、未録画のエピソードの録画を指示する。録画装置１においては、録画制御サーバ３による指示に従って録画予約が設定され、放送が開始されたとき、未録画のエピソードの録画が行われる。
【００４３】
これにより、録画装置１においては、録画装置１のユーザの操作によることなく自動的に未録画のエピソードが録画され、シリーズ番組の録画が完了することになる。
【００４４】
このように、録画装置１においては、録画制御サーバ３による制御に従って番組の録画などの各種の処理が行われる。録画制御サーバ３による制御に従って実現される各機能の詳細については後述する。
【００４５】
放送管理装置４は、衛星テレビジョン放送を使って番組を放送する。放送管理装置４は、録画制御サーバ３から送信されてきた情報に基づいて、放送予定の番組の編成なども行う。録画制御サーバ３と放送管理装置４もネットワークを介して接続される。録画装置１と録画制御サーバ３に対するEPGデータの提供がネットワークを介して行われるようにしてもよい。
【００４６】
［各装置の構成］
録画装置１と録画制御サーバ３の構成について説明する。
【００４７】
図２は、録画装置１の構成例を示すブロック図である。録画装置１は、コントローラ１１に対して、放送受信部１２、録画処理部１３、HDD(Hard Disk Drive)１４、記録制御部１５、通信部１６、および表示部１７がバスを介して接続されることによって構成される。
【００４８】
コントローラ１１は、CPU(Central Processing Unit)、ROM(Read Only Memory)、RAM(Random Access Memory)などより構成され、所定のプログラムに従って録画装置１の全体の動作を制御する。所定のプログラムが実行されることによって、コントローラ１１においては、表示制御部３１、録画制御部３２、およびログ管理部３３が実現される。
【００４９】
表示制御部３１は、表示部１７を制御し、各種の情報をTV２に表示させる。例えば、表示制御部３１は、録画済みの番組の情報、シリーズ番組の録画完了予定日の情報などをTV２に表示させる。
【００５０】
録画制御部３２は、録画処理部１３を制御し、番組の録画を行わせる。例えば、録画制御部３２は、録画制御サーバ３から送信されてきた情報に基づいて番組の録画予約を設定し、録画予約を設定した番組の放送が開始されたとき、その番組の録画を録画処理部１３に行わせる。また、録画制御部３２は、ユーザにより指示された番組の録画を録画処理部１３に行わせる。
【００５１】
ログ管理部３３は、録画制御部３２による録画を監視し、番組の録画が行われる毎に録画ログを生成し、HDD１４に記録させるなどして管理する。
【００５２】
放送受信部１２は、放送番組を受信する。放送受信部１２は、復調処理などの各種の処理を受信信号に施し、番組のデータを録画処理部１３に出力する。
【００５３】
録画処理部１３は、放送受信部１２から供給されたデータを所定の方式で符号化し、符号化後の番組のデータをHDD１４に記録させる。HDD１４に代えて、フラッシュメモリなどの他の記録媒体が番組の記録に用いられるようにしてもよい。
【００５４】
記録制御部１５は、HDD１４に記録されている録画済みの番組を光ディスク２１に記録（コピー）させる。光ディスク２１は、録画装置１のドライブに挿入されたBDなどの光ディスクである。光ディスク２１に代えて、メモリカードなどの他のリムーバブルメディアが録画済みの番組のコピー先として用いられるようにしてもよい。
【００５５】
通信部１６は、コントローラ１１の各部の制御に従って、ネットワークを介して録画制御サーバ３と通信を行う。
【００５６】
表示部１７は、表示制御部３１から供給された情報をTV２に出力し、各種の情報をTV２に表示させる。TV２には、LCD(Liquid Crystal Display)などの表示デバイスが設けられる。
【００５７】
図３は、録画制御サーバ３のハードウェアの構成例を示すブロック図である。
【００５８】
CPU５１、ROM５２、RAM５３は、バス５４により相互に接続される。バス５４には、さらに、入出力インタフェース５５が接続される。入出力インタフェース５５には、HDD５６、ネットワークインタフェースなどよりなる通信部５７、リムーバブルメディア５９を駆動するドライブ５８が接続される。
【００５９】
HDD５６には、EPGデータや録画装置１から送信されてきた録画ログなどの各種の情報が記録される。通信部５７は、録画装置１や放送管理装置４との間で、ネットワークを介して通信を行う。
【００６０】
なお、放送管理装置４も、図３に示す録画制御サーバ３の構成と同様の構成を有している。録画制御サーバ３と放送管理装置４が図３に示すような１つのコンピュータによって構成されるようにしてもよいし、複数のコンピュータによって構成されるようにしてもよい。
【００６１】
図４は、録画制御サーバ３の機能構成例を示すブロック図である。図４に示す機能部のうちの少なくとも一部は、図３のCPU５１により所定のプログラムが実行されることによって実現される。
【００６２】
録画制御サーバ３においては、制御部７１、ログ取得部７２、および検索部７３が実現される。
【００６３】
制御部７１は、録画装置１における録画を制御する。例えば、制御部７１は、ログ取得部７２により取得された録画ログに基づいて未録画のエピソードを特定する。制御部７１は、未録画のエピソードの録画を指示する情報を録画装置１に送信し、録画予約を設定させる。また、制御部７１は、検索部７３により検出された番組の録画を指示する情報を録画装置１に送信し、録画予約を設定させる。録画装置１との通信は、制御部７１が通信部５７を制御することによって行われる。
【００６４】
ログ取得部７２は、録画装置１から送信されてきた録画ログを取得する。録画装置１との通信は、ログ取得部７２が通信部５７を制御することによって行われる。ログ取得部７２は、録画ログを制御部７１に出力する。
【００６５】
検索部７３は、EPGデータに基づいて、放送予定の番組の中から、録画装置１に録画させる番組を検索する。検索部７３は、検索した番組の情報を制御部７１に出力する。
【００６６】
＜自動補填録画機能について＞
ここで、自動補填録画機能について説明する。
【００６７】
自動補填録画機能は、未録画のエピソードを補填するように録画し、シリーズ番組の録画を完了させる機能である。自動補填録画機能は、録画装置１においてシリーズ番組の録画が行われたが、途中のエピソードから録画が始まっている場合や、放送時間の変更によってあるエピソードの録画が行われていなかった場合などに働くことになる。
【００６８】
途中のエピソードから録画が始まっている場合に自動補填録画機能によって録画の対象となるエピソードは、最初に録画が行われた途中のエピソードよりエピソード番号が前のエピソードとなる。また、放送時間の変更によってあるエピソードの録画が行われていなかった場合に自動補填録画機能によって録画の対象となるエピソードは、録画が行われていなかったエピソードとなる。
【００６９】
図５は、自動補填録画機能における処理の流れの例を示す図である。各処理は、適宜、他の処理と並行して、または他の処理と前後して行われる。
【００７０】
録画装置１は、録画ログを生成し、記録する。録画装置１は、処理１として示すように、録画が完了した後などの所定のタイミングで、録画制御サーバ３に録画ログを送信する。
【００７１】
放送管理装置４は、処理２として示すように、EPGデータを録画制御サーバ３に送信する。
【００７２】
録画ログとEPGデータを受信した録画制御サーバ３は、受信したそれらの情報に基づいて、録画装置１においてシリーズ番組の録画が行われていることを確認する。また、録画制御サーバ３は、処理３として示すように、未録画のエピソードを特定する。
【００７３】
録画制御サーバ３は、未録画のエピソードの放送予定があるか否かをEPGデータに基づいて判断する。録画制御サーバ３は、未録画のエピソードの放送予定があると判断した場合、処理４として示すように、未録画のエピソードの録画（補填録画）を録画装置１に指示する。録画制御サーバ３から録画装置１に対する指示には、EPGデータに含まれる、未録画のエピソードの放送日時、チャンネルなどの情報が含まれる。
【００７４】
録画装置１は、録画制御サーバ３からの指示を受信し、録画が指示されたエピソードの録画予約を設定する。録画装置１は、未録画のエピソードの放送が開始されたとき、処理５として示すように未録画のエピソードを録画する。
【００７５】
一方、録画制御サーバ３は、未録画のエピソードの放送予定がないと判断した場合、処理６として示すように、未録画のエピソードの放送の要求である番組リクエストを放送管理装置４に送信する。録画制御サーバ３から放送管理装置４に対する番組リクエストには、EPGデータに含まれる、未録画のエピソードのタイトル、エピソード番号、IDなどの情報が含まれる。
【００７６】
放送管理装置４は、録画制御サーバ３からの番組リクエストを受信し、保存する。例えば、放送管理装置４は、同じ番組の放送を要求する番組リクエストが所定の回数以上送信されてきた場合、処理７として示すように、所定の回数以上の番組リクエストがあった番組に放送枠を割り当てるように番組編成を行う。
【００７７】
例えば、放送管理装置４は、深夜の時間帯などの視聴者が少ない時間帯を、所定の回数以上の番組リクエストがあった番組用の時間帯として予め確保している。番組リクエストが多い未録画のエピソードの放送には、予め確保されている時間帯の放送枠が用いられる。
【００７８】
ここで、図６のフローチャートを参照して、自動補填録画機能によって番組を録画する録画装置１と録画制御サーバ３の処理について説明する。
【００７９】
図６の処理は、例えば、録画ログが録画装置１に蓄積され、EPGデータが録画制御サーバ３に蓄積されているときに開始される。
【００８０】
ステップＳ１において、録画装置１のログ管理部３３（図２）は、HDD１４などに蓄積しておいた録画ログを録画制御サーバ３に送信する。
【００８１】
ステップＳ１１において、録画制御サーバ３のログ取得部７２（図４）は、録画装置１から送信されてきた録画ログを受信し、取得する。ログ取得部７２は、取得した録画ログを制御部７１に出力する。
【００８２】
ステップＳ１２において、制御部７１は、上述したようにして、録画ログとEPGデータに基づいて未録画のエピソードを特定する。
【００８３】
ステップＳ１３において、検索部７３は、制御部７１により特定された未録画のエピソードの放送予定を検索する。検索部７３は、未録画のエピソードの放送予定がある場合、EPGデータに含まれる未録画のエピソードの情報を制御部７１に出力する。
【００８４】
ステップＳ１４において、制御部７１は、検索部７３の検索結果に基づいて、未録画のエピソードの放送予定があるか否かを判定する。
【００８５】
放送予定があるとステップＳ１４において判定した場合、ステップＳ１５において、制御部７１は、未録画のエピソードの放送日時、チャンネルを含む情報を録画装置１に送信し、未録画のエピソードの補填録画を指示する。
【００８６】
一方、放送予定がないとステップＳ１４において判定した場合、ステップＳ１６において、制御部７１は、未録画のエピソードのタイトル、エピソード番号、IDなどの情報を含む番組リクエストを放送管理装置４に送信する。
【００８７】
ステップＳ２において、録画装置１の録画制御部３２は、録画制御サーバ３からの補填録画の指示を受信し、ステップＳ３において、録画が指示された未録画のエピソードの録画予約を設定する。
【００８８】
ステップＳ４において、録画制御部３２は、未録画のエピソードの放送開始時刻になったか否かを判定し、放送開始時刻になったと判定するまで待機する。
【００８９】
未録画のエピソードの放送開始時刻になったとステップＳ４において判定した場合、ステップＳ５において、録画制御部３２は、放送受信部１２と録画処理部１３を制御し、放送が開始された未録画のエピソードを録画させる。その後、処理は終了する。
【００９０】
図７は、補填録画が行われる前の録画済み番組の情報の表示例を示す図である。
【００９１】
図７の画面は、例えば、録画済みの番組の一覧の表示をユーザが指示したときに表示される。ユーザによる指示が行われたとき、表示制御部３１は、HDD１４にアクセスして録画済みの番組の情報を取得する。表示制御部３１は、取得した情報に基づいて録画済みの番組の情報をTV２に表示させる。
【００９２】
図７の例においては、シリーズ番組である「シリーズ番組Ａ」のエピソード３，４，５，７が録画済みの番組として表示されている。エピソード７が「シリーズ番組Ａ」の最終のエピソードであるとした場合、エピソード１，２，６が、未録画のエピソードになる。
【００９３】
「シリーズ番組Ａ」は、録画が行われたシリーズ番組のタイトルである。ユーザは、図７の画面から所定のエピソードを選択することによって、選択したエピソードを再生したり、光ディスク２１に記録させたりすることができる。
【００９４】
図７に示すようにして番組の録画が行われている場合、録画装置１からは、「シリーズ番組Ａ」のエピソード３，４，５，７が録画済みであることを示す録画ログが録画制御サーバ３に送信される。録画装置１においては、録画制御サーバ３による制御に従ってエピソード１，２，６の補填録画が行われる。
【００９５】
図８は、補填録画が行われた後の録画済み番組の情報の表示例を示す図である。
【００９６】
図８の例においては、「シリーズ番組Ａ」の１〜７が録画済みの番組として表示されている。補填録画によって録画されたエピソードであるエピソード１，２，６の隣には、エピソード１，２，６が補填録画によって録画されたことを示す情報である「（自動録画）」の文字が表示されている。
【００９７】
録画装置１のユーザは、「（自動録画）」の文字から、「シリーズ番組Ａ」のエピソード１，２，６が補填録画によって自動的に録画された番組であることを確認することができる。また、ユーザは、「シリーズ番組Ａ」のエピソード１，２，６を選択することによって、自動的に録画されたエピソードを再生させることができる。ユーザは、「シリーズ番組Ａ」のエピソード１〜７を選択し、「シリーズ番組Ａ」の全エピソードを、シリーズ単位で光ディスク２１に記録させることもできる。
【００９８】
以上の処理により、録画装置１は、未録画のエピソードを、ユーザの操作によることなく補填的に録画することができ、全てのエピソードを録画し、シリーズ番組の録画を完了させることができる。また、ユーザは、放送予定を自ら調べて録画予約を設定することなく、録画できていなかったエピソードを自動的に録画させることができる。
【００９９】
図９のフローチャートを参照して、録画制御サーバ３から送信されてきた番組リクエストを受信する放送管理装置４の処理について説明する。図９の処理は、所定の番組についての番組リクエストが録画制御サーバ３から送信されてきたときに開始される。
【０１００】
ステップＳ２１において、放送管理装置４は、録画制御サーバ３から送信されてきた番組リクエストを受信する。受信された番組リクエストは放送管理装置４のHDDに記録される。
【０１０１】
ステップＳ２２において、放送管理装置４は、同じ番組の放送を要求する番組リクエストが所定の数以上送信されてきたか否かを判定する。
【０１０２】
同じ番組の放送を要求する番組リクエストが所定の数以上送信されてきたとステップＳ２２において判定した場合、ステップＳ２３において、放送管理装置４は、所定の数以上の番組リクエストがあった番組の放送枠を決定する。上述したように、所定の数以上の番組リクエストがあった番組の放送枠には、深夜の時間帯の放送枠などが用いられる。
【０１０３】
ステップＳ２４において、放送管理装置４は、所定の数以上の番組リクエストがあった番組の情報を放送予定の番組の情報として含むEPGデータを送信する。EPGデータが送信された後、または、同じ番組の放送を要求する番組リクエストが所定の数以上送信されてきていないとステップＳ２２において判定された場合、処理は終了する。
【０１０４】
新たなEPGデータを受信した録画制御サーバ３において図６のステップＳ１３以降の処理が行われることによって、所定の数以上の番組リクエストがあった番組、すなわち、録画装置１において未録画のエピソードの補填録画が行われることになる。
【０１０５】
図６のステップＳ１３において、番組編成によって放送枠が新たに決定された未録画のエピソードの放送予定が録画制御サーバ３により検索され、ステップＳ１５において、その未録画のエピソードの補填録画が録画装置１に対して指示される。録画装置１においては、録画制御サーバ３からの指示に従ってステップＳ３において録画予約が設定され、放送が開始されたとき、ステップＳ５において、番組編成によって放送枠が新たに決定された未録画のエピソードの録画が行われる。
【０１０６】
このように、未録画のエピソードの放送予定がない場合、番組リクエストが録画制御サーバ３から自動的に送信されるようにすることにより、録画装置１のユーザは、未録画のエピソードの放送を放送事業者に自ら要求する必要がない。
【０１０７】
［削除ログを用いた補填録画について］
ユーザが自ら削除したために未録画になっているエピソードについては、自動補填録画機能によって補填録画が行われないようにしてもよい。過去に録画されたものの、視聴後などにユーザが削除したエピソードは削除ログにより管理される。
【０１０８】
録画装置１のログ管理部３３は、録画ログを記録するとともに、録画済みのエピソードの削除がユーザにより指示された場合、指示されたエピソードを削除し、削除ログを生成して記録する。削除ログには、削除したエピソードのタイトル、エピソード番号、IDなどが含まれる。ログ管理部３３は、録画ログとともに、削除ログを録画制御サーバ３に送信する。
【０１０９】
録画制御サーバ３のログ取得部７２は、制御装置１から送信されてきた録画ログと削除ログを受信し、取得する。録画制御サーバ３の制御部７１は、録画ログとEPGデータに基づいて、録画装置１においてシリーズ番組の録画が行われていることを確認する。また、制御部７１は、未録画のエピソードのうち、ユーザにより明示的に削除されたエピソードを除く未録画のエピソードを、補填録画の対象のエピソードとして削除ログに基づいて特定する。制御部７１は、補填録画の対象として特定したエピソードの放送予定がある場合、その未録画のエピソードの補填録画を録画装置１に指示する。
【０１１０】
録画装置１の録画制御部３２は、録画制御サーバ３からの指示を受信し、録画が指示された未録画のエピソードの録画予約を設定し、放送が開始されたとき録画する。
【０１１１】
これにより、ユーザが自ら削除したエピソードについては、未録画のエピソードとして自動的に録画されるのを防ぐことが可能になる。
【０１１２】
ユーザが自ら削除したエピソードを補填録画の対象から除くことの判断が、録画制御サーバ３ではなく録画装置１により行われるようにしてもよい。
【０１１３】
この場合、録画装置１のログ管理部３３は、録画ログを記録するとともに、録画済みのエピソードの削除がユーザにより指示された場合、指示されたエピソードを削除し、削除ログを生成して記録する。ログ管理部３３は、削除ログについては送信しないで、録画ログを録画制御サーバ３に送信する。
【０１１４】
録画制御サーバ３のログ取得部７２は、制御装置１から送信されてきた録画ログを受信し、取得する。録画制御サーバ３の制御部７１は、録画ログとEPGデータに基づいて、録画装置１においてシリーズ番組の録画が行われていることを確認する。また、制御部７１は、未録画のエピソードの放送予定がある場合、その未録画のエピソードの補填録画を録画装置１に指示する。
【０１１５】
録画装置１の録画制御部３２は、録画制御サーバ３からの指示を受信し、録画が指示された未録画のエピソードのうち、ユーザにより明示的に削除されたエピソードを除く未録画のエピソードを、補填録画の対象のエピソードとして削除ログに基づいて特定する。録画制御部３２は、補填録画の対象として特定した未録画のエピソードの録画予約を設定し、放送が開始されたとき録画する。
【０１１６】
このように、ユーザが自ら削除したエピソードを補填録画の対象から除くことの判断を録画装置１に行わせることも可能である。
【０１１７】
＜録画完了時期通知機能について＞
次に、録画完了時期通知機能について説明する。
【０１１８】
録画完了時期通知機能は、シリーズ番組の録画が完了するのかがいつになるのかをユーザに通知する機能である。録画完了時期通知機能は、シリーズ番組の所定のエピソードの録画が行われた場合などに働くことになる。
【０１１９】
図１０は、録画完了時期通知機能における処理の流れの例を示す図である。各処理は、適宜、他の処理と並行して、または他の処理と前後して行われる。
【０１２０】
録画装置１は、録画を行う毎に録画ログを生成し、記録する。録画装置１は、処理１として示すように、録画が完了した後などの所定のタイミングで、録画制御サーバ３に録画ログを送信する。
【０１２１】
放送管理装置４は、処理２として示すように、EPGデータを録画制御サーバ３に送信する。
【０１２２】
録画ログとEPGデータを受信した録画制御サーバ３は、受信したそれらの情報に基づいて、録画装置１においてシリーズ番組の録画が行われていることを確認する。また、録画制御サーバ３は、処理３として示すように、録画装置１において録画が行われているシリーズ番組の放送予定をEPGデータに基づいて確認し、シリーズ番組の録画完了予定日を特定する。
【０１２３】
例えば、未録画のエピソードがない状態でシリーズ番組の録画が進められている場合、最終のエピソードの放送予定日が、シリーズ番組の録画完了予定日となる。また、未録画のエピソードがあり、その未録画のエピソードを自動録画補填機能によって補填録画させる場合、未録画のエピソードの補填録画が行われる予定日（未録画のエピソードの放送予定日）が、シリーズ番組の録画完了予定日となる。
【０１２４】
録画制御サーバ３は、処理４として示すように、録画完了予定日の情報を録画装置１に送信する。
【０１２５】
録画装置１は、録画制御サーバ３からの情報を受信し、処理５として示すように、シリーズ番組の録画完了予定日を表示する。
【０１２６】
ここで、図１１のフローチャートを参照して、録画完了時期通知機能によって録画完了予定日をユーザに通知する録画装置１と録画制御サーバ３の処理について説明する。
【０１２７】
図１１の処理は、例えば、録画ログが録画装置１に蓄積され、EPGデータが録画制御サーバ３に蓄積されている状態において、録画装置１のユーザが録画状況の表示を指示したときに開始される。
【０１２８】
ステップＳ４１において、録画装置１のログ管理部３３は、HDD１４などに蓄積しておいた録画ログを録画制御サーバ３に送信する。
【０１２９】
ステップＳ５１において、録画制御サーバ３のログ取得部７２は、録画装置１から送信されてきた録画ログを受信し、取得する。制御部７１は、録画装置１においてシリーズ番組の録画が行われていることを録画ログとEPGデータに基づいて特定する。
【０１３０】
ステップＳ５２において、検索部７３は、録画装置１において録画が行われているシリーズ番組の放送予定を検索する。検索部７３により、録画装置１において録画が行われているシリーズ番組の各エピソードの放送予定日の情報がEPGデータから取得される。
【０１３１】
ステップＳ５３において、制御部７１は、検索部７３による検索によって取得された情報に基づいて、録画装置１において録画が行われているシリーズ番組の録画完了予定日を特定する。
【０１３２】
ステップＳ５４において、制御部７１は、録画装置１において録画が行われているシリーズ番組の録画完了予定日の情報を録画装置１に送信する。
【０１３３】
ステップＳ４２において、録画装置１の表示制御部３１は、録画制御サーバ３からの情報を受信する。
【０１３４】
ステップＳ４３において、表示制御部３１は、シリーズ番組の録画完了予定日の情報を録画状況としてTV２に表示させ、処理を終了させる。
【０１３５】
図１２は、録画完了時期通知機能により表示される録画完了予定日の例を示す図である。
【０１３６】
図１２の例においては、シリーズ番組である「シリーズ番組Ａ」の録画完了予定日が６月１２日とされ、「シリーズ番組Ｂ」の録画完了予定日が７月３日とされている。「シリーズ番組Ｃ」、「シリーズ番組Ｄ」についても同様に、それぞれの録画完了予定日が表示されている。
【０１３７】
各録画完了予定日は、最終のエピソードの放送予定日、または、未録画のエピソードの補填録画が行われる予定日（未録画のエピソードの放送予定日）である。未録画のエピソードが複数ある場合、録画完了予定日は、未録画のエピソードのうち、エピソード番号が最も大きいエピソードの補填録画が行われる予定日となる。
【０１３８】
これにより、録画装置１のユーザは、自分が録画しているシリーズ番組の録画が完了する日を確認することができる。例えば、放送管理装置４の管理者である放送事業者が提供する放送サービスが月単位で契約するサービスである場合、録画装置１のユーザは、何ヶ月先まで契約を続ければシリーズ番組の録画を完了させることができるのかを確認することができる。
【０１３９】
＜未録画エピソード通知機能について＞
次に、未録画エピソード通知機能について説明する。
【０１４０】
未録画エピソード通知機能は、未録画のエピソードがある場合に、未録画のエピソードがあることを通知する機能である。未録画のエピソードがあることの通知は、未録画のエピソードの情報を録画済みのエピソードの情報とともに表示することによって行われる。
【０１４１】
図１３は、未録画エピソード通知機能における処理の流れの例を示す図である。各処理は、適宜、他の処理と並行して、または他の処理と前後して行われる。
【０１４２】
録画装置１は、録画を行う毎に録画ログを生成し、記録する。録画装置１は、処理１として示すように、録画が完了した後などの所定のタイミングで、録画制御サーバ３に録画ログを送信する。
【０１４３】
放送管理装置４は、処理２として示すように、EPGデータを録画制御サーバ３に送信する。
【０１４４】
録画ログとEPGデータを受信した録画制御サーバ３は、受信したそれらの情報に基づいて、録画装置１においてシリーズ番組の録画が行われていることを確認する。また、録画制御サーバ３は、処理３として示すように、未録画のエピソードを特定する。
【０１４５】
録画制御サーバ３は、未録画のエピソードの情報をEPGデータから取得し、処理４として示すように録画装置１に送信する。録画装置１に送信される情報には、未録画のエピソードのタイトル、エピソード番号、PPV(Pay Per View)の番組であるか否かを表す情報、放送予定日、チャンネルなどの情報が含まれる。
【０１４６】
録画装置１は、録画制御サーバ３からの情報を受信し、処理５として示すように、未録画のエピソードの情報を、録画済みのエピソードの情報とともに表示する。
【０１４７】
ここで、図１４のフローチャートを参照して、未録画エピソード通知機能によって未録画のエピソードがあることをユーザに通知する録画装置１と録画制御サーバ３の処理について説明する。
【０１４８】
図１４の処理は、例えば、録画ログが録画装置１に蓄積され、EPGデータが録画制御サーバ３に蓄積されている状態において、録画装置１のユーザが、あるシリーズ番組の録画状況の表示を指示したときに開始される。
【０１４９】
ステップＳ７１において、録画装置１のログ管理部３３は、HDD１４などに蓄積しておいた録画ログを録画制御サーバ３に送信する。
【０１５０】
ステップＳ８１において、録画制御サーバ３のログ取得部７２は、録画装置１から送信されてきた録画ログを受信し、取得する。
【０１５１】
ステップＳ８２において、制御部７１は、録画装置１においてシリーズ番組の録画が行われていることを録画ログとEPGデータに基づいて確認し、未録画のエピソードを特定する。
【０１５２】
ステップＳ８３において、制御部７１は、EPGデータに含まれる未録画のエピソードの情報を録画装置１に送信する。
【０１５３】
ステップＳ７２において、録画装置１の表示制御部３１は、録画制御サーバ３からの情報を受信する。
【０１５４】
ステップＳ７３において、表示制御部３１は、録画済みのエピソードと未録画のエピソードを含む全エピソードの情報をTV２に一覧表示させ、処理を終了する。録画済みのエピソードの情報はHDD１４から読み出され、表示に用いられる。
【０１５５】
図１５は、未録画エピソード通知機能により表示される画面の例を示す図である。
【０１５６】
図１５の例においては、シリーズ番組である「シリーズ番組Ａ」の全エピソードであるエピソード１〜７の情報がエピソード番号順に並べて表示されている。エピソード１〜７のうち、エピソード３，４，５，７は録画済みのエピソードであり、エピソード１，２，６は未録画のエピソードである。
【０１５７】
未録画のエピソードであるエピソード１，２，６については破線で囲まれており、それらのエピソードが未録画のエピソードであることが明示的に示されている。画面の下方には、破線で囲まれた状態で表示されるエピソードが、未録画のエピソードであることを表すメッセージが表示されている。
【０１５８】
未録画のエピソードの情報が灰色で表示され、録画済みのエピソードの情報が他の色で表示されるといったように、未録画のエピソードの情報と録画済みのエピソードの情報が異なる色で表示されるようにしてもよい。視覚的に区別することができれば、未録画のエピソードの情報と録画済みのエピソードの情報がどのような形式で表示されるようにしてもよい。
【０１５９】
未録画のエピソードの情報と録画済みのエピソードの情報が異なる形式で表示されることにより、ユーザは、シリーズ番組の全エピソードのうち、どのエピソードが録画済みであり、どのエピソードが未録画であるのかを確認することができる。
【０１６０】
また、図１５の例においては、未録画のエピソードであるエピソード１，２，６の右側に、録画予約を設定するときに操作されるボタンと、PPVを開始するときに操作されるボタンが表示されている。この例においては「シリーズ番組Ａ」はPPVの番組とされている。
【０１６１】
録画装置１のユーザは、ボタンを操作するなどして、未録画のエピソードの録画予約を設定したり、PPVを開始したりすることができる。例えば、録画予約を設定することが指示された場合、録画制御部３２は、録画制御サーバ３から送信されてきた未録画のエピソードの情報に基づいて録画予約を設定し、録画を行うことになる。
【０１６２】
図１５の画面から、未録画のエピソードの放送を要求する番組リクエストを録画装置１から放送管理装置４に送信することができるようにしてもよい。
【０１６３】
［サービスへの加入案内について］
未録画のエピソードが有料放送の番組であり、その未録画のエピソードを受信するためのサービスにユーザが未加入である場合、サービスへの加入を録画状況の表示画面において促すようにしてもよい。
【０１６４】
この場合、録画制御サーバ３の制御部７１は、未録画のエピソードを受信するためのサービスに録画装置１のユーザが加入済みであるか否かを判断する。制御部７１は、未録画のエピソードを受信するためのサービスにユーザが未加入であると判断した場合、未録画のエピソードの情報とともに、ユーザが未加入であることを表す情報を録画装置１に送信する。
【０１６５】
録画装置１の表示制御部３１は、録画制御サーバ３から送信されてきた情報に基づいて図１５に示すような画面を表示する場合、未録画のエピソードのタイトルの隣などの所定の位置に、サービスに加入するときに操作されるサービス加入ボタンを表示させる。サービス加入ボタンが操作されたとき、録画装置１のコントローラ１１は、未録画のエピソードを受信するためのサービスにその未録画のエピソードの放送日から加入することの加入リクエストを録画制御サーバ３を介して放送管理装置４に、または、直接、放送管理装置４に送信する。加入リクエストには、未録画のエピソードの放送日の情報が含まれている。
【０１６６】
放送管理装置４は、録画装置１からの加入リクエストを処理し、未録画のエピソードの放送日から、その未録画のエピソードを録画装置１が受信できるように設定する。
【０１６７】
このように、未録画のエピソードの放送日に関連付けられた加入リクエストを送信することにより、録画装置１は、未録画のエピソードの放送日からサービスに加入し、未録画のエピソードの録画などを行うことが可能になる。  
【０１６８】
＜ディスクコピー時の未録画エピソード通知機能について＞
次に、ディスクコピー時の未録画エピソード通知機能について説明する。
【０１６９】
ディスクコピー時の未録画エピソード通知機能は、シリーズ番組全体をBDなどの他の記録媒体にコピーすることが指示されたが未録画のエピソードがある場合、未録画のエピソードがあることをコピーの実行前に通知する機能である。ディスクコピー時の未録画エピソード通知機能は、所定のシリーズ番組が選択され、シリーズ番組全体をコピーすることが指示された場合などに働くことになる。
【０１７０】
図１６は、ディスクコピー時の未録画エピソード通知機能における処理の流れの例を示す図である。各処理は、適宜、他の処理と並行して、または他の処理と前後して行われる。
【０１７１】
録画装置１は、録画を行う毎に録画ログを生成し、記録する。録画装置１は、処理１として示すように、録画が完了した後などの所定のタイミングで、録画制御サーバ３に録画ログを送信する。
【０１７２】
放送管理装置４は、処理２として示すように、EPGデータを録画制御サーバ３に送信する。
【０１７３】
録画ログとEPGデータを受信した録画制御サーバ３は、受信したそれらの情報に基づいて、録画装置１においてシリーズ番組の録画が行われていることを確認する。また、録画制御サーバ３は、処理３として示すように、未録画のエピソードを特定する。
【０１７４】
録画制御サーバ３は、未録画のエピソードの情報をEPGデータから取得し、処理４として示すように録画装置１に送信する。録画装置１に送信される情報には、未録画のエピソードのタイトル、エピソード番号などの情報が含まれる。
【０１７５】
録画装置１は、録画制御サーバ３からの情報を受信し、HDD１４などに記録させる。録画制御サーバ３から送信されてきた情報に基づいて、録画装置１は、録画を行っているシリーズ番組のどのエピソードが未録画であるのかを判断することが可能になる。
【０１７６】
録画装置１は、処理５として示すように、ユーザの操作に応じて、光ディスク２１にコピーするシリーズ番組を選択する。光ディスク２１にコピーするシリーズ番組は、例えばシリーズ番組の一覧画面を用いて行われる。
【０１７７】
録画装置１は、コピー対象として選択されたシリーズ番組に未録画のエピソードがある場合、処理６として示すように、未録画のエピソードがあることを表す情報をコピー実行前にTV２に表示させる。
【０１７８】
ここで、図１７のフローチャートを参照して、ディスクコピー時の未録画エピソード通知機能によって未録画のエピソードがあることをユーザに通知する録画装置１と録画制御サーバ３の処理について説明する。
【０１７９】
図１７の処理は、例えば、録画ログが録画装置１に蓄積され、EPGデータが録画制御サーバ３に蓄積されているときに開始される。
【０１８０】
ステップＳ１０１において、録画装置１のログ管理部３３は、HDD１４などに蓄積しておいた録画ログを録画制御サーバ３に送信する。
【０１８１】
ステップＳ１１１において、録画制御サーバ３のログ取得部７２は、録画装置１から送信されてきた録画ログを受信し、取得する。
【０１８２】
ステップＳ１１２において、制御部７１は、録画装置１においてシリーズ番組の録画が行われていることを録画ログとEPGデータに基づいて確認し、未録画のエピソードを特定する。
【０１８３】
ステップＳ１１３において、制御部７１は、EPGデータに含まれる未録画のエピソードの情報を録画装置１に送信する。
【０１８４】
ステップＳ１０２において、録画装置１の表示制御部３１は、録画制御サーバ３からの情報を受信する。
【０１８５】
ステップＳ１０３において、表示制御部３１は、未録画のエピソードがある状態でシリーズ番組をコピーすることがユーザにより指示されたか否かを判定する。
【０１８６】
未録画のエピソードがある状態でシリーズ番組をコピーすることが指示されたとステップＳ１０３において判定した場合、ステップＳ１０４において、表示制御部３１は未録画のエピソードがあることをユーザに通知する。
【０１８７】
一方、コピー対象のシリーズ番組が未録画のエピソードがないシリーズ番組であることから、未録画のエピソードがある状態でシリーズ番組をコピーすることが指示されていないとステップＳ１０３において判定された場合、ステップＳ１０５において、記録制御部１５は、コピー対象のシリーズ番組の全エピソードをHDD１４から読み出して光ディスク２１にコピーする。
【０１８８】
ステップＳ１０４において未録画のエピソードがあることの通知が行われた後、または、ステップＳ１０５においてシリーズ番組のコピーが行われた後、処理は終了する。
【０１８９】
図１８は、ディスクコピー時の未録画エピソード通知機能により表示される画面の例を示す図である。
【０１９０】
図１８の例においては、ユーザがコピーを指示したシリーズ番組である「シリーズ番組Ａ」に未録画のエピソードがあることを通知するメッセージが表示されている。メッセージの下には、どのエピソードが未録画のエピソードであるのかを表す情報も表示されている。
【０１９１】
このように、光ディスク２１へのコピー前に未録画のエピソードがあることを通知することによって、ユーザは、未録画のエピソードがある状態でシリーズ番組をコピーしてしまうことを防ぐことができる。
【０１９２】
ユーザは、未録画のエピソードがあることの通知を確認した後、PPVなどを利用して未録画のエピソードの録画を行い、シリーズ番組の録画が完了した後にシリーズ番組全体をコピーすることもできる。図１８の画面において、未録画のエピソードのPPVを案内するようにしてもよい。
【０１９３】
＜シリーズ番組案内機能について＞
次に、シリーズ番組案内機能について説明する。
【０１９４】
シリーズ番組案内機能は、シリーズ番組の最初のエピソード（エピソード１）を自動的に録画しておき、エピソード２以降のエピソードについても録画することを案内する機能である。
【０１９５】
図１９は、シリーズ番組案内機能における処理の流れの例を示す図である。各処理は、適宜、他の処理と並行して、または他の処理と前後して行われる。
【０１９６】
放送管理装置４は、処理１として示すように、EPGデータを録画制御サーバ３に送信する。
【０１９７】
EPGデータを受信した録画制御サーバ３は、処理２として示すように、放送予定の番組の中から、シリーズ番組の最初のエピソードを特定する。録画制御サーバ３は、処理３として示すように、特定した最初のエピソードの録画を録画装置１に指示する。録画制御サーバ３から録画装置１に対する指示には、EPGデータに含まれる、最初のエピソードの放送日時、チャンネルが含まれる。
【０１９８】
録画装置１は、録画制御サーバ３からの指示を受信し、録画が指示された最初のエピソードの録画予約を設定する。録画装置１は、最初のエピソードの放送が開始されたとき、処理４として示すようにシリーズ番組の最初のエピソードを録画する。
【０１９９】
シリーズ番組の最初のエピソードの録画が終了したとき、録画装置１は、処理５として示すように、エピソード２以降の録画を案内する。
【０２００】
ここで、図２０のフローチャートを参照して、シリーズ番組案内機能によってシリーズ番組の録画を案内する録画装置１と録画制御サーバ３の処理について説明する。図２０の処理は、例えば、EPGデータが録画制御サーバ３に蓄積されているときに開始される。
【０２０１】
ステップＳ１４１において、録画制御サーバ３の検索部７３は、EPGデータに基づいて、放送予定の番組の中から、シリーズ番組の最初のエピソードを検索する。
【０２０２】
ステップＳ１４２において、制御部７１は、検索部７３により検索された最初のエピソードの放送日時、チャンネルを含む情報を録画装置１に送信し、録画を指示する。
【０２０３】
ステップＳ１３１において、録画装置１の録画制御部３２は、録画制御サーバ３からの録画指示を受信し、ステップＳ１３２において、録画が指示されたエピソードの録画予約を設定する。
【０２０４】
ステップＳ１３３において、録画制御部３２は、最初のエピソードの放送開始時刻になったか否かを判定し、放送開始時刻になったと判定するまで待機する。
【０２０５】
最初のエピソードの放送開始時刻になったとステップＳ１３３において判定した場合、ステップＳ１３４において、録画制御部３２は、放送受信部１２と録画処理部１３を制御し、放送が開始された最初のエピソードを録画させる。
【０２０６】
最初のエピソードの録画が終了したとき、ステップＳ１３５において、表示制御部３１は、メッセージをTV２に表示させるなどしてエピソード２以降の録画を案内し、処理を終了させる。
【０２０７】
図２１は、シリーズ番組案内機能により表示される画面の例を示す図である。
【０２０８】
図２１の画面には、シリーズ番組である「シリーズ番組Ａ」の最初のエピソードを自動的に録画しておいたことを通知するとともに、エピソード２以降の録画を案内するメッセージが表示されている。
【０２０９】
これにより、ユーザは、最初のエピソードの録画を忘れてしまうことを防ぐことができ、案内を確認してエピソード２以降の録画予約を設定しておくことによって、シリーズ番組の録画を完了させることができる。
【０２１０】
＜変形例＞
以上においては、録画制御サーバ３の制御に従って録画装置１が処理を行うことにより各機能が実現されるものとしたが、録画装置１単体において各機能が実現されるようにしてもよい。この場合、図４の構成が録画装置１に設けられることになる。
【０２１１】
複数のエピソードから構成されるシリーズ番組の録画を完了させる場合について説明したが、本技術は、タイトルが同じ番組やカテゴリが同じ番組など、所定の関連性を有するグループの番組全体の録画を完了させる場合にも適用可能である。放送される番組の録画に限らず、同じアルバムに含まれる楽曲など、所定の関連性を有するグループの音楽全体を記録する場合にも適用可能である。
【０２１２】
地上テレビジョン放送によって放送されたシリーズ番組の録画が行われている場合に衛星テレビジョン放送の番組を用いて未録画のエピソードの補填録画を行うといったように、放送形態の異なる番組を用いて補填録画が行われるようにしてもよい。衛星テレビジョン放送によって放送されたシリーズ番組の録画が行われている場合に地上テレビジョン放送の番組を用いて未録画のエピソードの補填録画を行うことも可能である。
【０２１３】
［プログラムについて］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、汎用のパーソナルコンピュータなどにインストールされる。
【０２１４】
インストールされるプログラムは、光ディスク（CD-ROM(Compact Disc-Read Only Memory)，DVD(Digital Versatile Disc)等）や半導体メモリなどよりなる図３に示されるリムーバブルメディア５９に記録して提供される。また、ローカルエリアネットワーク、インターネット、デジタル放送といった、有線または無線の伝送媒体を介して提供されるようにしてもよい。プログラムは、ROM５２やHDD５６に、あらかじめインストールしておくことができる。
【０２１５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１６】
本技術の実施の形態は、上述した実施の形態に限定されるものではなく、本技術の要旨を逸脱しない範囲において種々の変更が可能である。
【０２１７】
［構成の組み合わせ例］
本技術は、以下のような構成をとることもできる。
【０２１８】
（１）
録画装置において録画された番組の情報を取得する取得部と、
前記録画装置において録画されたシリーズ番組に未録画のエピソードがある場合、前記未録画のエピソードを録画するように前記録画装置における録画を制御する制御部と
を備える制御装置。
【０２１９】
（２）
前記制御部は、前記未録画のエピソードの放送予定があるか否かをEPGデータに基づいて判定し、放送予定があると判定した場合、前記未録画のエピソードの放送日時を含む情報を前記録画装置に送信し、前記未録画のエピソードの録画予約を前記録画装置に設定させる
前記（１）に記載の制御装置。
【０２２０】
（３）
前記制御部は、前記未録画のエピソードの放送予定がないと判定した場合、前記未録画のエピソードの放送の要求を前記シリーズ番組の放送を管理する放送管理装置に送信する
前記（２）に記載の制御装置。
【０２２１】
（４）
前記制御部は、EPGデータに基づいて、前記シリーズ番組の録画完了予定日を特定し、前記録画完了予定日の情報を前記録画装置に送信する
前記（１）乃至（３）のいずれかに記載の制御装置。
【０２２２】
（５）
EPGデータに番組情報が含まれる放送予定の番組の中から、所定のシリーズ番組の最初のエピソードを検索する検索部をさらに備え、
前記制御部は、前記所定のシリーズ番組の最初のエピソードの放送日時を含む情報を前記録画装置に送信し、前記最初のエピソードを録画させる
前記（１）乃至（３）のいずれかに記載の制御装置。
【０２２３】
（６）
前記取得部は、前記録画装置において削除された番組の情報を取得し、
前記制御部は、前記未録画のエピソードのうち、前記録画装置において削除されたエピソードを除く前記未録画のエピソードを録画するように前記録画装置における録画を制御する
前記（１）乃至（５）のいずれかに記載の制御装置。
【０２２４】
（７）
録画装置において録画された番組の情報を取得し、
前記録画装置において録画されたシリーズ番組に未録画のエピソードがある場合、前記未録画のエピソードを録画するように前記録画装置における録画を制御する
ステップを含む制御方法。
【０２２５】
（８）
録画装置において録画された番組の情報を取得し、
前記録画装置において録画されたシリーズ番組に未録画のエピソードがある場合、前記未録画のエピソードを録画するように前記録画装置における録画を制御する
ステップを含む処理をコンピュータに実行させるプログラム。
【０２２６】
（９）
録画済みの番組の情報を制御装置に送信する送信部と、
録画を行っているシリーズ番組に未録画のエピソードがある場合に前記制御装置により行われる制御に従って、前記未録画のエピソードを録画する録画制御部と
を備える録画装置。
【０２２７】
（１０）
前記録画制御部は、前記制御装置から送信されてくる前記未録画のエピソードの放送日時を含む情報に基づいて、前記未録画のエピソードの録画予約を設定する
前記（９）に記載の録画装置。
【０２２８】
（１１）
前記制御装置から送信されてくる情報に基づいて、前記シリーズ番組の録画完了予定日を表示する表示制御部をさらに備える
前記（９）または（１０）に記載の録画装置。
【０２２９】
（１２）
前記録画制御部は、前記制御装置から送信されてくる、所定のシリーズ番組の最初のエピソードの放送日時を含む情報に基づいて、前記最初のエピソードを録画し、
前記最初のエピソードの録画が行われた場合、前記最初のエピソード以降のエピソードの録画を案内する情報を表示する表示制御部をさらに備える
前記（９）または（１０）に記載の録画装置。
【０２３０】
（１３）
前記未録画のエピソードの情報を、録画済みのエピソードの情報と異なる形式で、前記録画済みのエピソードの情報とともに表示する表示制御部をさらに備える
前記（９）または（１０）に記載の録画装置。
【０２３１】
（１４）
録画済みの番組を記録媒体に記録させる記録制御部と、
前記記録媒体に記録させる番組として前記シリーズ番組が選択された場合、前記シリーズ番組の記録が行われる前に、前記未録画のエピソードがあることを表す情報を表示する表示制御部と
をさらに備える前記（９）または（１０）に記載の録画装置。
【０２３２】
（１５）
前記送信部は、削除した番組の情報を前記制御装置に送信し、
前記録画制御部は、前記制御装置により行われる制御に従って、前記未録画のエピソードのうち、削除したエピソードを除く前記未録画のエピソードを録画する
前記（９）乃至（１４）のいずれかに記載の録画装置。
【０２３３】
（１６）
前記送信部は、前記未録画のエピソードを受信するために所定のサービスに加入している必要がある場合、前記制御装置から送信されてくる前記未録画のエピソードの放送日を含む情報に基づいて、前記サービスに前記放送日から加入することの要求を送信する
前記（９）乃至（１５）のいずれかに記載の録画装置。
【０２３４】
（１７）
録画済みの番組の情報を制御装置に送信し、
録画を行っているシリーズ番組に未録画のエピソードがある場合に前記制御装置により行われる制御に従って、前記未録画のエピソードを録画する
ステップを含む録画方法。
【０２３５】
（１８）
録画済みの番組の情報を制御装置に送信し、
録画を行っているシリーズ番組に未録画のエピソードがある場合に前記制御装置により行われる制御に従って、前記未録画のエピソードを録画する
ステップを含む処理をコンピュータに実行させるプログラム。
【符号の説明】
【０２３６】
１  録画装置，  ２  TV，  ３  録画制御サーバ，  ４  放送管理装置，  ３１  表示制御部，  ３２  録画制御部，  ３３  ログ管理部，  ７１  制御部，  ７２  ログ管理部，  ７３  検索部
【図１】
2012249176.tif 000003
【図２】
2012249176.tif 000004
【図３】
2012249176.tif 000005
【図４】
2012249176.tif 000006
【図５】
2012249176.tif 000007
【図６】
2012249176.tif 000008
【図７】
2012249176.tif 000009
【図８】
2012249176.tif 000010
【図９】
2012249176.tif 000011
【図１０】
2012249176.tif 000012
【図１１】
2012249176.tif 000013
【図１２】
2012249176.tif 000014
【図１３】
2012249176.tif 000015
【図１４】
2012249176.tif 000016
【図１５】
2012249176.tif 000017
【図１６】
2012249176.tif 000018
【図１７】
2012249176.tif 000019
【図１８】
2012249176.tif 000020
【図１９】
2012249176.tif 000021
【図２０】
2012249176.tif 000022
【図２１】
2012249176.tif 000023